(57)【要約】【課題】点火電極の先端から単位バーナまでの距離を高精度に設定して点火不良を防止することができる燃焼装置を提供する。【解決手段】燃焼装置１は、多数の単位バーナ１２をバーナ支持体１３が一体的に支持してなるバーナユニット１１と、バーナユニット１１を収容する燃焼筐８と、単位バーナに向かって火花放電を発生させることにより点火する点火電極４１とを備える。燃焼筐８の前面を開放面３７とする。バーナ支持体１３の前板２０により燃焼筐８の開放面３７を閉塞する。バーナ支持体１３の前板２０に点火電極４１を取り付ける。【選択図】図３
2016151394.tif 000002
【特許請求の範囲】
【請求項１】
前後方向に長手の多数の単位バーナを左右方向に配列した状態でバーナ支持体により一体的に支持してなるバーナユニットと、該バーナユニットを収容して燃焼させる燃焼筐と、少なくとも何れか一つの前記単位バーナとの間に火花放電を発生させて前記バーナユニットに点火する点火電極とを備える燃焼装置において、
前記燃焼筐の前後左右の４つ面のうちの１つを開放面とし、
前記バーナ支持体の一部を前記燃焼筐の開放面に対応する形状の側板として該側板により前記開放面を閉塞し、
前記開放面を閉塞する前記バーナ支持体の前記側板に前記点火電極を取り付けたことを特徴とする燃焼装置。
【発明の詳細な説明】
【技術分野】
【０００１】
本発明は、給湯器等に用いられる燃焼装置に関する。
【背景技術】
【０００２】
この種の燃焼装置として、四角筒状の燃焼筐の内部にバーナユニットを収容し、バーナユニットの燃焼により燃焼筐の上部に設けた熱交換器等を加熱するものが知られている。
【０００３】
バーナユニットは、多数の単位バーナと、これらの単位バーナを配列状態に連結して一体的に支持するバーナ支持体とを備えている。バーナ支持体は、配列状態の単位バーナを囲うようにして支持している。
【０００４】
また、この種の燃焼装置は、バーナユニットに点火する点火電極が燃焼筐の前板に取り付けられている。点火電極は、先端がバーナユニットを構成する単位バーナの一つに臨み、当該単位バーナとの間で火花放電を発生させてバーナユニットに点火する。
【０００５】
点火電極の先端から単位バーナまでの距離は、良好な火花放電が発生する所定の距離に設定されているが、燃焼筐やバーナユニットの歪みの発生、或いは組立誤差の影響で、燃焼筐とバーナユニットとの相対位置がずれる場合がある。燃焼筐とバーナユニットとの相対位置にずれが生じて、点火電極の先端から単位バーナまでの距離が所定の距離よりも大きく開くと、点火電極による良好な火花放電が望めず、点火不良となるおそれがある。
【０００６】
そこで、従来、燃焼筐の点火電極を支持した側壁とバーナ支持体の側壁とをネジ部材等の位置決め手段を用いて連結した燃焼装置が提案されている（下記特許文献１参照）。これによれば、燃焼筐とバーナユニットとの位置ずれを小さく抑えることができる。
【先行技術文献】
【特許文献】
【０００７】
【特許文献１】特開平８−２００８３６号公報
【発明の概要】
【発明が解決しようとする課題】
【０００８】
しかし、点火電極と単位バーナとの間に別体の部材が複数介在すると、点火電極の先端から単位バーナまでの距離を高精度に設定することが困難となる。上記特許文献１に見られる構成によると、点火電極と単位バーナとの間に、燃焼筐の側壁、位置決め手段（ネジ部材等）、及びバーナ支持体の側壁が介在する。このため、点火電極の燃焼筐の側壁への取り付け状態、バーナ支持体の単位バーナに対する支持状態、及び、位置決め手段による燃焼筐とバーナ支持体との連結状態の全てが高精度に設定されていない限り、点火電極の先端から単位バーナまでの距離も良好な火花放電が得られる所定の距離に設定することはできない。
【０００９】
上記の点に鑑み、本発明は、点火電極の先端から単位バーナまでの距離を高精度に設定して点火不良を防止することができる燃焼装置を提供することを目的とする。
【課題を解決するための手段】
【００１０】
かかる目的を達成するために、本発明は、前後方向に長手の多数の単位バーナを左右方向に配列した状態でバーナ支持体により一体的に支持してなるバーナユニットと、該バーナユニットを収容して燃焼させる燃焼筐と、少なくとも何れか一つの前記単位バーナとの間に火花放電を発生させて前記バーナユニットに点火する点火電極とを備える燃焼装置において、前記燃焼筐の前後左右の４つ面のうちの１つを開放面とし、前記バーナ支持体の一部を前記燃焼筐の開放面に対応する形状の側板として該側板により前記開放面を閉塞し、前記開放面を閉塞する前記バーナ支持体の前記側板に前記点火電極を取り付けたことを特徴とする。
【００１１】
本発明によれば、単位バーナを支持してバーナユニットを構成しているバーナ支持体の側板に点火電極を取り付けたことにより、点火電極と単位バーナとの間にはバーナ支持体の側板が介在するのみとなる。このように、点火電極と単位バーナとの間に介在する部品数が極めて少ないことにより、点火電極の先端から単位バーナまでの距離を高精度に設定することができ、確実に点火不良を防止することができる。しかも、点火電極を取り付けたバーナ支持体の側板が、燃焼筐の開放面を閉塞して燃焼筐の一部を兼ねるので、部品点数が少なく低コストで構成することができる。更に、燃焼筐の開放面を閉塞しているバーナ支持体の側板を燃焼筐から取り外すだけで、開放された燃焼筐の開放面からバーナユニットを引き出すことができるので、バーナユニットのメンテナンス作業等を容易に行うことができる。
【図面の簡単な説明】
【００１２】
【図１】給湯器の正面図。
【図２】燃焼装置の要部の断面説明図。
【図３】燃焼装置の説明的分解図。
【図４】燃焼筐の内部を上方から臨む図。
【発明を実施するための形態】
【００１３】
本発明の一実施形態を図面に基づいて説明する。図１示すように、本実施形態の燃焼装置１は、給湯器２のケース３内に収容されて給湯器２の要部を構成している。なお、図１は、説明の便宜上、給湯器２のケース３の前面を開放させた状態を示している。給湯器２の通常使用時には、図示しない前面パネルによりケース３の前面は閉じられた状態となっている。そして、給湯器２は、ケース３の前面パネルを取り外すことにより、ケース３の前面が大きく開放され、燃焼装置１等のメンテナンスを行う場合に好適となる。
【００１４】
また、図１において、４は熱交換器、５は熱交換器４の上流側に接続された給水管、６は熱交換器４の下流側に接続された給湯管、７は排気筒である。
【００１５】
燃焼装置１は、燃焼筐８と、ファン９と、マニホールド１０とを備えている。熱交換器４は燃焼筐８の上端に連結されている。ファン９は、燃焼筐８内部に強制的に空気を送ることにより、燃焼筐８の吸排気を行う。
【００１６】
燃焼筐８の内部には、図２に示すように、バーナユニット１１が収容されている。バーナユニット１１は、図２及び図３に示すように、多数の単位バーナ１２とバーナ支持体１３とによって構成されている。なお、バーナユニット１１は１０個の単位バーナ１２を備えるが、図３及び図４においては、３個の単位バーナ１２の配列状態を示し、他の単位バーナは図示省略している。
【００１７】
各単位バーナ１２は、図４に示すように、その上面において前後方向に並んで開口する複数の炎口１４と、図２に示すように、その下部で前方に向かって開口する燃料ガス供給口１５と、燃料ガス供給口１５から炎口１４にかけて湾曲して延びる混合ガス通路１６とを備えた偏平バーナである。
【００１８】
図３及び図４に示すように、多数の単位バーナ１２は、左右方向に配列されてバーナ支持体１３に支持されている。バーナ支持体１３は、下方からの空気流を通過させるべく多数の連通孔１７が形成された底板１８と、図２及び図３に示すように底板１８の前端縁から段部１９を有して立ち上がる前板２０と、図３及び図４に示すように左右の枠片２１，２２及び左右の枠片２１，２２の後端を繋ぐ後枠片２３により構成されるフレーム２４とを備えている。
【００１９】
図２に示すように、バーナ支持体１３の前板２０は、金属板の曲げ加工により底板１８と一体に形成されている。前板２０の段部１９と底板１８との間の起立面には、単位バーナ１２の一部に係合する係合部２５が設けられている。本実施形態における、係合部２５は、バーリング形状に形成された通気自在の突起であり、単位バーナ１２の燃料ガス供給口１５に差し込むことにより係合する。
【００２０】
単位バーナ１２の燃料ガス供給口１５には、前板２０の係合部２５を介してマニホールド１０に設けたノズル２６が対峙し、ノズル２６から燃料ガス供給口１５に向かって燃料ガスが噴出される。なお、前板２０に設ける係合部２５の形状はこれに限るものではなく、ノズル２６から燃料ガス供給口１５に向かって燃料ガスの流れを妨げることなく単位バーナ１２の一部に係合する形状であればよい。
【００２１】
フレーム２４は、図４に示すように、配列状態の単位バーナ１２を包囲し、左右の枠片２１，２２の前端が前板２０にネジ留め等により強固に連結されている。このとき、図２に示すように、バーナ支持体１３は、フレーム２４の後枠片２３に形成されている係止爪２７によって、単位バーナ１２の後端部に形成されたスリット２８を係止する。
【００２２】
前板２０の係合部２５と後枠片２３の係止爪２７とによって単位バーナ１２はバーナ支持体１３に一体的に支持された状態となる。
【００２３】
更に、本実施形態においては、前板２０の内面に一体的に取り付けた前遮熱板２９の下端に設けた第１挟持爪３０と、後枠片２３の上端に設けた第２挟持爪３１とで単位バーナ１２の前後の端部を挟持しており、これによって単位バーナ１２の姿勢を強固に安定させている。
【００２４】
燃焼筐８は、図３に示すように、左右の側壁板３２，３３と、後面を閉塞する後壁板３４と、ファン９の連結口３５が形成された底壁板３６とを備え、前面が開放部３７により開放されている。燃焼筐８の左右の側壁板３２，３３及び後壁板３４の内面には、夫々、遮熱板３８が取り付けられている。
【００２５】
バーナ支持体１３の前板２０は、燃焼筐８の開放部３７に対応する形状とされて燃焼筐８の前面に取り付けることにより燃焼筐８の前面を閉塞する。即ち、バーナ支持体１３を燃焼筐８に収容し、バーナ支持体１３の前板２０を燃焼筐８の開放部３７の周縁（左右の側壁板３２，３３の前端縁）にネジ留めすると、バーナ支持体１３の前板２０が燃焼筐８の前壁板を兼ねる。そして、燃焼筐８の前壁板を兼ねたバーナ支持体１３の前板２０には、点火電極４１とフレームロッド４２とが取り付けられている。
【００２６】
点火電極４１は、図２及び図４に示すように、先端が所定の距離を存して１つの単位バーナ１２の上端に臨むように取り付けられている。このとき、点火電極４１の先端と単位バーナ１２の上端との距離は、点火電極４１の先端と単位バーナ１２の上端との間で良好な火花放電が行える寸法に設定される。
【００２７】
即ち、点火電極４１は、燃焼筐８ではなく、バーナユニット１１に取り付け支持された状態とされる。そして、点火電極４１が取り付けられている前板２０を一体に備えているバーナ支持体１３は、係合部２５及び係止爪２７により単位バーナ１２を強固に支持している。このとき、点火電極４１と単位バーナ１２との間に介在している部材は、バーナ支持体１３の前板２０のみであるから、部品点数が少なく、しかも、点火電極４１と単位バーナ１２との相対位置のずれが極めて小さく抑えられる。これにより、点火電極４１の先端から単位バーナ１２までの距離を高精度に設定して点火不良を防止することができる。
【００２８】
また、バーナ支持体１３の前板２０は、燃焼筐８の開放部３７の周縁（左右の側壁板３２，３３の前端縁）にネジ留めされて着脱自在に連結されており、燃焼筐８の開放部３７を閉塞している。従って、燃焼筐８へのバーナ支持体１３の前板２０のネジ留めを解除すれば、燃焼筐８からバーナ支持体１３の前板２０を容易に取り外すことができる。
【００２９】
更に、図１に示すように、燃焼筐８の開放部３７は、給湯器２のケース３の前面から臨むことができるように設けられている。換言すれば、燃焼筐８は、ケース３の前面を覆う図示しない前面パネルに臨む面が開放部３７とされている。これにより、メンテナンス作業のために給湯器２のケース３から前面パネルを取り外せば、燃焼筐８の開放部３７を閉塞するバーナ支持体１３の前板２０の取り外し作業が容易に行え、メンテナンス作業性が高い。
【００３０】
また、一般に、各単位バーナ１２の長手方向が燃焼筐８の前後方向とされ、バーナユニット１１は、単位バーナ１２の長手方向に沿った方向となる燃焼筐８の前方から出し入れされる。従って、図３に示すように、バーナ支持体１３の前板２０を燃焼筐８から取り外すことで、燃焼筐８からバーナユニット１１を作業者から見て手前方向に引き出すことができ、バーナユニット１１のメンテナンス作業を容易に行うことができる。
【００３１】
なお、本実施形態においては、燃焼筐８の前面をバーナ支持体１３の前板２０により閉塞するようにして、メンテナンス作業性を向上させたものを示したが、これに限るものではなく、図示しないが、燃焼筐の前後左右の４つ面のうちの１つを開放面とし、この開放面を閉塞する側板を備えるバーナ支持体を形成して、当該側板に点火電極を取り付けてもよい。
【符号の説明】
【００３２】
１…燃焼装置、８…燃焼筐、１１…バーナユニット、１２…単位バーナ、１３…バーナ支持体、２０…前板（側板）、３７…開放部（開放面）、４１…点火電極。
【図１】
2016151394.tif 000003
【図２】
2016151394.tif 000004
【図３】
2016151394.tif 000005
【図４】
2016151394.tif 000006